(57)【要約】【課題】高解像度の画像を形成可能なインクジェット記録ヘッドを提供する。【解決手段】  第１の吐出口列群Ｃｇａは、中吐出口列ＣＭ１と、中吐出口列ＣＭ１に隣接して配置された大吐出口列ＣＬ１ａとの各吐出口が等間隔で千鳥配列されることで構成されている。第２の吐出口列群Ｃｇｂは、大吐出口列ＣＬ１ｂと、大吐出口列ＣＬ１ｂに隣接して配置された小吐出口列ＣＳ１との各吐出口が等間隔で千鳥配列されることで構成されている。第２の吐出口列群Ｃｇｂは、第１の吐出口列群Ｃｇａに対して、第１の吐出口列群Ｃｇａにおける中吐出口と大吐出口の配列ピッチの１／２ピッチ分オフセットして配置されている。吐出口列組ＣＧ１における中吐出口列ＣＭ１の吐出口は吐出口列組ＣＧ２における中吐出口列ＣＭ２の吐出口と１／２ピッチオフセットしている。【選択図】図１
2008018556.tif 000002
【特許請求の範囲】
【請求項１】
共通液室から供給されたインクを吐出する複数の吐出口からなる複数の吐出口列が前記共通液室の両側に形成された、被記録媒体が走査される副走査方向に交差する方向である主走査方向に走査されるインクジェット記録ヘッドにおいて、
前記共通液室の一方の側には、第１の吐出口列と、前記第１の吐出口列に隣接して配置され、前記第１の吐出口列の吐出量と異なる吐出量の前記吐出口からなる第２の吐出口列との前記各吐出口が等間隔で交互に配列されて構成される第１の吐出口列群が形成されており、
前記共通液室の他方の側には、前記第１の吐出口列および前記第２の吐出口列のいずれか一方と同じ吐出量の前記吐出口からなる共通吐出量吐出口列と、前記共通吐出量吐出口列に隣接して配置され、前記第１の吐出口列群とは異なる吐出量の吐出口からなる非共通吐出量吐出口列との前記各吐出口が等間隔で交互に配列されて構成される第２の吐出口列群が形成されており、
前記第１の吐出口列群と前記第２の吐出口列群とにより吐出口列組がインクの色毎に構成され、
前記第２の吐出口列群は、前記第１の吐出口列群に対して前記第１の吐出口列群の吐出口の配列ピッチの１／２ピッチ分ずれて配置されており、
前記吐出口列組のうち同色のインクを吐出する前記吐出口列組の前記非共通吐出量吐出口列どうしは、互いに前記非共通吐出量吐出口列の吐出口の配列ピッチの１／２ピッチ分ずれて配置されていることを特徴とするインクジェット記録ヘッド。
【請求項２】
前記共通吐出量吐出口は、複数設定されたインク吐出量のうち、最大の吐出量のインクを吐出する吐出口である、請求項１に記載のインクジェット記録ヘッド。
【請求項３】
前記共通吐出量吐出口は、複数設定されたインク吐出量のうち、最少の吐出量のインクを吐出する吐出口である、請求項１に記載のインクジェット記録ヘッド。
【請求項４】
前記共通吐出量吐出口は、複数設定されたインク吐出量のうち、最大および最少の吐出量以外のインクを吐出する吐出口である、請求項１に記載のインクジェット記録ヘッド。
【請求項５】
対称中心を挟んで配置されている異なる色のインクを吐出する前記吐出口列組どうしの同一吐出量を吐出する前記吐出口の前記副走査方向の位置は同一である、請求項１ないし４のいずれか１項に記載のインクジェット記録ヘッド。
【請求項６】
対称中心を挟んで配置されている異なる色のインクを吐出する前記吐出口列組どうしの同一吐出量を吐出する前記吐出口の前記副走査方向の位置は前記対称中心を挟んで鏡像の関係にある、請求項１ないし５のいずれか１項に記載のインクジェット記録ヘッド。
【請求項７】
各前記吐出口列組の各色は、イエローを対称中心として、シアン、マゼンタ、イエロー、マゼンタ、シアンとなるように対称配置されている、請求項１ないし６のいずれか１項に記載のインクジェット記録ヘッド。
【請求項８】
前記対称配置された前記吐出口列組に隣接して、ブラックインクを吐出する吐出列が配置されている、請求項１ないし７のいずれか１項に記載のインクジェット記録ヘッド。
【請求項９】
前記吐出口列組を形成する吐出口群は、該吐出口列群を構成する吐出口列の各吐出口が等間隔で千鳥配列されて構成される請求項１ないし８のいずれか１項に記載のインクジェット記録ヘッド。
【発明の詳細な説明】
【技術分野】
【０００１】
本発明はインクジェットプリンタのインクジェット記録ヘッドに関する。
【背景技術】
【０００２】
近年のプリンティング装置、特にインクジェット方式におけるプリント装置においては、更なる高画質画像を更に高速に印字したいというニーズがますます高まっている。
【０００３】
これに対して、高画質なカラー画像を高速印字するために往復印字を行った際の色印字順の違いによる色ムラの発生を解決するための方法が特許文献１に開示されている。この特許文献１は、主走査方向に各色のノズル列が対称配置された各色ノズル列対称配置ヘッド（以下、対称配置ヘッド）構成を開示している。
【０００４】
また、更なる高画質化のために上記対称配置ヘッドに吐出量を大液滴、小液滴の二段階吐出できるノズルを搭載した大小液滴吐出対称ヘッド（以下、大小対称ヘッド）構成が特許文献２に開示されている。
【０００５】
一方、更なる高画質化手段として吐出量を更に大液滴、中液滴、小液滴の三段階設けた大中小ヘッド構成が特許文献３に開示されている。
【特許文献１】特開２００１−１７１１１９号公報
【特許文献２】特開２００４−１４８９号公報
【特許文献３】特開平９−１６４７０６号公報
【発明の開示】
【発明が解決しようとする課題】
【０００６】
しかしながら、上記対称配置ヘッド構成に上記大中小ヘッド構成を単純に適用させようとしたところ、以下の問題を生じた。すわなち、ノズル配置密度（解像度）が上がらないため、１パスあたりのドットの紙面被覆率（以下、ＡＦ）が小さくなり、少ない印字パス数では画像にスジが発生し易いという問題を生じた。
【０００７】
それを解決するために、上記対称配置ヘッド構成に上記大中小ヘッド構成を適用した例を図７（ａ）（ｂ）に示す。図７（ａ）はノズル構成でヘッドを吐出口面側から見た平面図である。
【０００８】
ＣＬ１、ＣＬ２はＣｙａｎ（シアン）インクの大液滴を吐出させる大吐出口列、ＣＭ１、ＣＭ２はＣｙａｎインクの中液滴を吐出させる中吐出口列、ＣＳ１、ＣＳ２はＣｙａｎインクの小液滴を吐出させる小吐出口列である。
【０００９】
ＭＬ１、ＭＬ２はＭａｇｅｎｔａ（マゼンタ）インクの大液滴を吐出させる大吐出口列、ＭＭ１、ＭＭ２はＭａｇｅｎｔａインクの中液滴を吐出させる中吐出口列、ＭＳ１、ＭＳ２はＭａｇｅｎｔａインクの小液滴を吐出させる小吐出口列である。
【００１０】
ＹＬ１、ＹＬ２はＹｅｌｌｏｗ（イエロー）インクの大液滴を吐出させる大吐出口列である。
【００１１】
Ｃ１ａはＣＬ１、ＣＭ１にインクを供給する共通液室であり、Ｃ１ｂはＣＳ１にインクを供給する共通液室である。Ｃ２ａはＣＬ２、ＣＭ２にインクを供給する共通液室であり、Ｃ２ｂはＣＳ２にインクを供給する共通液室である。
【００１２】
Ｍ１ａはＭＬ１、ＭＭ１にインクを供給する共通液室であり、Ｍ１ｂはＭＳ１にインクを供給する共通液室である。Ｍ２ａはＭＬ２、ＭＭ２にインクを供給する共通液室であり、Ｍ２ｂはＭＳ２にインクを供給する共通液室である。
【００１３】
ＹａはＹＬ１、ＹＬ２にインクを供給する共通液室である。
【００１４】
大吐出口列は大液滴を吐出させるためヒータサイズが大きく、大吐出口列を配置するためには広いスペースが必要となり共通液室の片側に高密度に配置できない。本例ではこれまで実現されている形態として大吐出口列を共通液室の片側に６００ｄｐｉで配置した構成を示す。
また、小吐出口列ＣＳ１、ＣＳ２、ＭＳ１、ＭＳ２がそれぞれ大吐出口列の配列ピッチの１／２ピッチだけ副走査方向にオフセット配置。これによって中ドット、小ドットの印字ドット解像度は図７（ｂ）に示すように中ドット、小ドットを併せた印字解像度が大吐出口配置解像度の２倍の２４００ｄｐｉとなる。その結果、中ドット、小ドットによるＡＦが大きくなり少パスで印字した際のスジ発生マージンが向上する。
【００１５】
しかしながら、この場合は、中ドット、小ドットの副走査方向の配置順が、中ドット、中ドット、小ドット、小ドット、中ドット、中ドット、小ドット、小ドット・・・となる。つまり、中ドットで形成される２ラスターと小ドットで形成される２ラスターが交互に続くことになる。このような状態のドット配置にディザ法や誤差拡散法を単純に適用し階調表現しようとすると、インクの着弾乱れが発生した際に被記録メディア上で中ドット同士がくっつき易く、大きなドットの固まりが形成され、粒状性が劣化し易くなるという問題が発生する。また、中ドットと同様に小ドット同士もくっつき易くなるため、結局、中ドットのくっついた大きなドットの固まりによって形成されたラスターと小ドットのくっついた中程度のドットの固まりによって形成されたラスターが副走査方向に交互に配置されることになる。その結果、スジやムラが発生し易くなるという問題が発生する。
【００１６】
また、上述の課題は対称配置ヘッド構成に限らず、ノズル列配置が非対称で片方向印字しかしない場合でも同色で大中小吐出口列の組を複数用いて印字を行う場合には同様に発生する。
【００１７】
また、上述したいずれの例も大吐出口用の共通液室の他、中吐出口用あるいは小吐出口用の共通液室が別途必要となるため、ヘッドの小型化が困難である。
【００１８】
そこで、本発明は上記課題に鑑み、高解像度の画像を形成可能なインクジェット記録ヘッドを提供することを目的とする。
【課題を解決するための手段】
【００１９】
上記目的を達成するため本発明のインクジェット記録ヘッドは、以下の構成を有する。
【００２０】
本発明のインクジェット記録ヘッドは、共通液室から供給されたインクを吐出する複数の吐出口からなる吐出口列が共通液室の両側に形成された、被記録媒体が走査される副走査方向に交差する方向である主走査方向に走査される。
【００２１】
共通液室の一方の側には、第１の吐出口列と、第１の吐出口列に隣接して配置され、第１の吐出口列の吐出量と異なる吐出量の吐出口からなる第２の吐出口列との各吐出口が等間隔で交互に配列されて構成される第１の吐出口列群が形成されている。
【００２２】
共通液室の他方の側には、第１の吐出口列および第２の吐出口列のいずれか一方と同じ吐出量の吐出口からなる共通吐出量吐出口列と、共通吐出量吐出口列に隣接して配置されている。そして、第１の吐出口列群とは異なる吐出量の吐出口からなる非共通吐出量吐出口列との各吐出口が等間隔で交互に配列されて構成される第２の吐出口列群が形成されている。
【００２３】
第１の吐出口列群と第２の吐出口列群とにより吐出口列組がインクの色毎に構成されている。
【００２４】
そして、第２の吐出口列群は、第１の吐出口列群に対して第１の吐出口列群の吐出口の配列ピッチの１／２ピッチ分ずれて配置されている。
【００２５】
また、吐出口列組のうち同色のインクを吐出する吐出口列組の非共通吐出量吐出口列どうしは、互いに非共通吐出量吐出口列の吐出口の配列ピッチの１／２ピッチ分ずれて配置されている。
【発明の効果】
【００２６】
本発明によれば、異なる吐出量の液滴（大ドット，中ドット，小ドット）のそれぞれに対し、インクの着弾乱れが発生した際に被記録メディア上で特定のドット同士がくっつき易く、粒状性が劣化し易くなるという問題を解決することができる。その結果、少ない印字パス数でも、スジやムラの少ない、高解像度の画像を形成することができる。
【発明を実施するための最良の形態】
【００２７】
以下に本発明の第１の実施形態を図面に基づいて説明する。
（第１の実施形態）
本実施形態のインクジェット記録ヘッドの構成を図１（ａ）（ｂ）に示す。
【００２８】
図１（ａ）は本実施形態のヘッドを吐出口側から見た吐出口配置平面図であり、図１（ｂ）は本構成で紙面上に形成されたドット配置の模式図である。
【００２９】
まず、図中の各符号について説明する。本実施形態のヘッドは、使用するインクはＣｙａｎインク（Ｃ）、Ｍａｇｅｎｔａインク（Ｍ）、Ｙｅｌｌｏｗインク（Ｙ）の３種類を用いており、吐出口の大きさは大（Ｌ）、中（Ｍ）、小（Ｓ）の３種類である。大（Ｌ）中（Ｍ）、小（Ｓ）の各吐出口から吐出されるインク滴の吐出量は、それぞれ２．８ｐｌ、１．４ｐｌ、０．６ｐｌとなっている。吐出口配置を示す図１（ａ）中の円形部分は吐出口を示し、長方形部分は吐出口にインクを供給する共通液室を示している。各吐出口を示す符号の最初の文字がインクの色を表示し、第２番目の文字が吐出口の大きさを表示している。また、共通液室を示す符号の最初の文字はインクの色を表示している。すわなち、以下の通りである。
【００３０】
ＣＬ１ａ、ＣＬ１ｂ、ＣＬ２ａ、ＣＬ２ｂはＣｙａｎ（シアン）インクの大液滴を吐出させる大吐出口列である。ＣＭ１、ＣＭ２はＣｙａｎインクの中液滴を吐出させる中吐出口列である。ＣＳ１、ＣＳ２はＣｙａｎインクの小液滴を吐出させる小吐出口列である。
【００３１】
ＭＬ１ａ、ＭＬ２ｂ、ＭＬ２ａ、ＭＬ２ｂはＭａｇｅｎｔａ（マゼンタ）インクの大液滴を吐出させる大吐出口列である。ＭＭ１、ＭＭ２はＭａｇｅｎｔａインクの中液滴を吐出させる中吐出口列である。ＭＳ１、ＭＳ２はＭａｇｅｎｔａインクの小液滴を吐出させる小吐出口列である。
【００３２】
ＹＬ１、ＹＬ２はＹｅｌｌｏｗ（イエロー）インクの大液滴を吐出させる大吐出口列である。
【００３３】
Ｃ１ａはＣＬ１ａ、ＣＬ１ｂ、ＣＭ１、ＣＳ１にインクを供給する共通液室である。Ｃ２ａはＣＬ２ａ、ＣＬ２ｂ、ＣＭ２、ＣＳ２にインクを供給する共通液室である。
【００３４】
Ｍ１ａはＭＬ１ａ、ＭＬ１ｂ、ＭＭ１、ＭＳ１にインクを供給する共通液室である。Ｍ２ａはＭＬ２ａ、ＭＬ２ｂ、ＭＭ２、ＭＳ２にインクを供給する共通液室である。
【００３５】
ＹａはＹＬ１、ＹＬ２にインクを供給する共通液室である。
【００３６】
図１（ａ）のインクジェット記録ヘッドは、イエローを対称中心とした、シアン、マゼンタ、イエロー、マゼンタ、イエローの吐出口列が主走査方向に対称配置されている。図にはシアン、マゼンタ、イエローのカラー用のヘッドの構成のみを示しているが、ブラックインクを吐出する記録ヘッド（不図示）がその外側に隣接して設けられている。
【００３７】
共通液室の一方の側には大吐出口と中吐出口が交互に配置され、その逆側には大吐出口と小吐出口が交互に配置されており、本実施形態の構成では大吐出口、中吐出口、小吐出口それぞれの配置解像度は６００ｄｐｉである。また、大吐出口と中吐出口の配置された列（以下、大中列）では大吐出口、中吐出口合わせて１２００ｄｐｉ、大吐出口と小吐出口の配置された列（以下、大小列）では大吐出口、中吐出口合わせて１２００ｄｐｉの配置解像度となっている。
【００３８】
共通液室の片側でヒータサイズの大きい大吐出口をそのまま６００ｄｐｉ以上に高解像度化することは困難である。しかしながら、大吐出口の間に吐出量の小さい中吐出口、小吐出口へインクを供給する流路を設けることは可能である。本実施形態では、共通液室の片側に大吐出口と中吐出口または大吐出口と小吐出口といった組み合わせで吐出口を配置することで高密度に配置が可能となっている。
【００３９】
また更に、大中列と大小列は大中列の大吐出口と中吐出口の配列ピッチの１／２、本実施形態の構成では２４００ｄｐｉだけ副走査方向にオフセット配置されている。
【００４０】
以下、図中の符号を用いて具体的に説明する。
【００４１】
共通液室Ｃ１ａの左側には第１の吐出口列群Ｃｇａが形成され、右側には第２の吐出口列群Ｃｇｂが形成されている。そして、これら第１の吐出口列群Ｃｇａと第２の吐出口列群Ｃｇｂとで吐出口列組ＣＧ１が形成されている。
【００４２】
第１の吐出口列群Ｃｇａは、中吐出口列ＣＭ１と、中吐出口列ＣＭ１に隣接して配置された大吐出口列ＣＬ１ａとが等間隔で千鳥配列されることで構成されている。第２の吐出口列群Ｃｇｂは、大吐出口列ＣＬ１ｂと、大吐出口列ＣＬ１ｂに隣接して配置された小吐出口列ＣＳ１とが等間隔で千鳥配列されることで構成されている。
【００４３】
第２の吐出口列群Ｃｇｂは、第１の吐出口列群Ｃｇａに対して、第１の吐出口列群Ｃｇａにおける中吐出口と大吐出口の配列ピッチ（図中Ｐ1）の１／２ピッチ分オフセットして配置されている。
【００４４】
また、共通液室Ｍ１ａの左側には第１の吐出口列群Ｍｇａが形成され、右側には第２の吐出口列群Ｍｇｂが形成されている。そして、これら第１の吐出口列群Ｍｇａ
と第２の吐出口列群Ｍｇｂとで吐出口列組ＭＧ１が形成されている。
【００４５】
第１の吐出口列群Ｍｇａは、中吐出口列ＭＭ１と、中吐出口列ＭＭ１に隣接して配置された大吐出口列ＭＬ１ａとが等間隔で千鳥配列されることで構成されている。第２の吐出口列群Ｍｇｂは、大吐出口列ＭＬ１ｂと、大吐出口列ＭＬ１ｂに隣接して配置された小吐出口列ＭＳ１とが等間隔で千鳥配列されることで構成されている。
【００４６】
第２の吐出口列群Ｍｇｂは、第１の吐出口列群Ｍｇａに対して、第１の吐出口列群Ｍｇａにおける中吐出口と大吐出口の配列ピッチの１／２ピッチ分オフセットして配置されている。
【００４７】
また、共通液室Ｍ２ａの左側には第１の吐出口列群Ｍｇｃが形成され、右側には第２の吐出口列群Ｍｇｄが形成されている。そして、これら第１の吐出口列群Ｍｇｃと第２の吐出口列群Ｍｇｄとで吐出口列組ＭＧ２が形成されている。
【００４８】
第１の吐出口列群Ｍｇｃは、小吐出口列ＭＳ２と、小吐出口列ＭＳ２に隣接して配置された大吐出口列ＭＬ２ａとが等間隔で千鳥配列されることで構成されている。第２の吐出口列群Ｍｇｄは、大吐出口列ＭＬ２ｂと、大吐出口列ＭＬ２ｂに隣接して配置された中吐出口列ＭＭ２とが等間隔で千鳥配列されることで構成されている。
【００４９】
第２の吐出口列群Ｍｇｄは、第１の吐出口列群Ｍｇｃに対して、第１の吐出口列群Ｍｇｃにおける小吐出口と大吐出口の配列ピッチの１／２ピッチ分オフセットして配置されている。
【００５０】
また、共通液室Ｃ２ａの左側には第１の吐出口列群Ｃｇｃが形成され、右側には第２の吐出口列群Ｃｇｄが形成されている。そして、これら第１の吐出口列群Ｃｇｃと第２の吐出口列群Ｃｇｄとで吐出口列組ＣＧ２が形成されている。
【００５１】
第１の吐出口列群Ｃｇｃは、小吐出口列ＣＳ２と、小吐出口列ＣＳ２に隣接して配置された大吐出口列ＣＬ２ａとが等間隔で千鳥配列されることで構成されている。第２の吐出口列群Ｃｇｄは、大吐出口列ＣＬ２ｂと、大吐出口列ＣＬ２ｂに隣接して配置された中吐出口列ＣＭ２とが等間隔で千鳥配列されることで構成されている。
【００５２】
第２の吐出口列群Ｃｇｄは、第１の吐出口列群Ｃｇｃに対して、第１の吐出口列群Ｃｇｃにおける小吐出口と大吐出口の配列ピッチの１／２ピッチ分オフセットして配置されている。
【００５３】
そして、共通液室Ｙａを挟んだ同色の大吐出口、中吐出口、小吐出口のノズル同士の関係は、それぞれの中吐出口同士、小吐出口同士がそれぞれの吐出口列の配列ピッチの１／２ピッチだけオフセット配置されている。ここで、ひとつの吐出口列組における大吐出口どうしを同じ吐出量の吐出口からなる共通吐出量吐出口列とし、互いに異なる吐出量のインクを吐出する中吐出口同士、小吐出口同士を非共通吐出量吐出口列とする。そうすると、同じ色のインクであって同じ吐出量の非共通吐出量吐出口列どうしでは吐出口は１／２ピッチだけオフセット配置されていることになる。
【００５４】
なお、本実施形態の記録ヘッドの吐出口は各吐出口列において６００ｄｐｉ毎（図１中ピッチＰ2）に形成されているため、吐出口「列」における吐出口の１／２ピッチのオフセットとは１２００ｄｐｉだけずれていることを意味する。
【００５５】
一方、上述した吐出口列「群」は２つの吐出口列が千鳥配置されることで構成されているため、吐出口は１２００ｄｐｉ毎（図１中ピッチＰ1）に形成されていることになる。よって、吐出口列「群」における吐出口の１／２ピッチのオフセットとは２４００ｄｐｉだけずれていることを意味する。
【００５６】
つまり、吐出口「列」における１／２ピッチとはピッチＰ2に対するものであり、吐出口列「群」における１／２ピッチとはピッチＰ1に対するものである。
【００５７】
以下、図中の符号を用いて具体的に説明する。
【００５８】
吐出口列組ＣＧ１における中吐出口列ＣＭ１の吐出口は吐出口列組ＣＧ２における中吐出口列ＣＭ２の吐出口と１／２ピッチオフセットしている。つまり、シアン色の中吐出口どうしは１／２ピッチオフセットしている。
【００５９】
また、吐出口列組ＣＧ１における小吐出口列ＣＳ１の吐出口は吐出口列組ＣＧ２における小吐出口列ＣＳ２の吐出口と１／２ピッチオフセットしている。つまり、シアン色の小吐出口どうしは１／２ピッチオフセットしている。
【００６０】
同様に、吐出口列組ＭＧ１における中吐出口列ＭＭ１の吐出口は吐出口列組ＭＧ２における中吐出口列ＭＭ２の吐出口と１／２ピッチオフセットしている。つまり、マゼンタ色の中吐出口どうしは１／２ピッチオフセットしている。
【００６１】
また、吐出口列組ＭＧ１における小吐出口列ＭＳ１の吐出口は吐出口列組ＭＧ２における小吐出口列ＭＳ２の吐出口と１／２ピッチオフセットしている。つまり、マゼンタ色の小吐出口どうしは１／２ピッチオフセットしている。
【００６２】
上述した構成のヘッドによる印字ドットの着弾位置を図１（ｂ）に示す。大ドットは大吐出口からの大液滴が着弾し形成されたドット、中ドットは中吐出口からの中大液滴が着弾し形成されたドット、小ドットは小吐出口からの小大液滴が着弾し形成されたドットである。なお、図では理解し易くするために大ドット列、中ドット列、小ドット列を主走査方向に分離して示してある。
【００６３】
大ドットは副走査方向に均一に吐出口の解像度の４倍の２４００ｄｐｉで配置されている。また、中ドット、小ドットも同様に副走査方向に均一にそれぞれの吐出口の解像度の２倍の１２００ｄｐｉで配置されており、中ドットと小ドットとを併せると２４００ｄｐｉで均一に配置されている。
【００６４】
このように本実施形態の構成によると中ドット、小ドットを均一に高解像度配置することが可能となる。また、さらに大ドットも均一に吐出口配置解像度の４倍の高解像度まで配置することが可能となる。
【００６５】
その結果、ＡＦ（紙面被覆率）が大きくなりスジが発生するまでのマージンが大幅に向上する。さらには、中ドット、小ドットが均一に配置されることにより、インクの着弾乱れやヘッドの走査乱れや紙搬送の乱れが生じた際の中ドット同士の固まり、小ドット同士の固まりが発生し難く、粒状性の劣化を発生させないことが可能となる。その結果、少ないパス数で高画質な画像を安定して高速印字することが可能となる。
【００６６】
また、本実施形態の構成によれば、小吐出口あるいは中吐出口用に専用の共通液室が不要となるのでヘッド上のノズル配置スペースを節約できる。そのためヘッドの大幅な小型化が可能となり、ヘッドの大幅な低コスト化も可能となる。
【００６７】
また、本実施形態の構成では小吐出口を、大吐出口および中吐出口と同じ共通液室に接続させているが、もちろん小吐出口を、大吐出口および中吐出口と異なる共通液室に接続した構成も可能である。その構成例を図２（ａ）に示す。
【００６８】
共通液室Ｃ１ａは大吐出口列ＣＬ１ａ、大吐出口列ＣＬ１ｂ、および中吐出口列ＣＭ１にインクを供給する。共通液室Ｃ１ｂは小吐出口列ＣＳ１にインクを供給する。
【００６９】
共通液室Ｍ１ａは大吐出口列ＭＬ１ａ、大吐出口列ＭＬ１ｂ、および中吐出口列ＭＭ１にインクを供給する。共通液室Ｍ１ｂは小吐出口列ＭＳ１にインクを供給する。
【００７０】
共通液室Ｃ２ａは大吐出口列ＣＬ２ａ、大吐出口列ＣＬ２ｂ、および中吐出口列ＣＭ２にインクを供給する。共通液室Ｃ２ｂは小吐出口列ＣＳ２にインクを供給する。
【００７１】
共通液室Ｍ２ａは大吐出口列ＭＬ２ａ、大吐出口列ＭＬ２ｂ、および中吐出口列ＭＭ２にインクを供給する。共通液室Ｍ２ｂは小吐出口列ＭＳ２にインクを供給する。
【００７２】
この構成では共通液室から小吐出口へインクを供給するインク流路の幅を広くすることができ、インクの最充填時間が短くなり小液滴の吐出周波数を上げることが可能となる。その結果、更に高速印字が可能となる。
【００７３】
本構成の場合も、印字ドットの着弾位置は、図２（ｂ）に示すように、大ドットは副走査方向に均一に吐出口の解像度の４倍の２４００ｄｐｉで配置される。また、中ドット、小ドットも同様に副走査方向に均一にそれぞれの吐出口の解像度の２倍の１２００ｄｐｉで配置され、中ドットと小ドットとを併せると２４００ｄｐｉで均一に配置される。
【００７４】
また、小吐出口のみならず中吐出口も大吐出口と別の専用の共通液室に連結させインクを供給しても良い。この場合、中液滴吐出周波数を向上させることが可能となり、更に高速印字が可能となる。
（第２の実施形態）
本実施形態のインクジェット記録ヘッドの構成を図３に示す。図３（ａ）は本実施形態のヘッドを吐出口側から見た吐出口配置の平面図であり、図３（ｂ）は、本実施形態の構成によるヘッドにより紙面上に形成されたドット配置の模式図である。なお、各吐出口および共通液室の符号の付け方は第１の実施形態と同様である。
【００７５】
本実施形態の構成は第１の実施形態に対して大吐出口列の位置と小吐出口列の位置を入れ替えている。
【００７６】
第１の実施形態では、図１（ａ）に示すように共通液室の両側に隣接して大吐出口が配置され、さらにその外側に中吐出口および小吐出口が配置されている。これに対して本実施形態の場合、図３（ａ）に示すように、共通液室の両側に隣接して小吐出口が配置され、さらにその外側に中吐出口および大吐出口が配置されている。
【００７７】
Ｃｙａｎインクを例に具体的に説明する。第１の実施形態のヘッドでは、図１（ａ）に示すように共通液室Ｃ１ａの両側に隣接して大吐出口ＣＬ１ａおよび大吐出口ＣＬ１ｂが配置され、さらにその外側に中吐出口ＣＭ１および小吐出口ＣＳ１が配置されている。一方、本実施形態のヘッドでは、図３（ａ）に示すように、共通液室Ｃｌａの両側に隣接して小吐出口ＣＳ１ａ、ＣＳ１ｂが配置され、さらにその外側に中吐出口ＣＭ１および大吐出口ＣＬ１が配置されている。なお、図３（ａ）の中で図１（ａ）と異なる部分の詳細は下記の通りである。すわなち、ＣＳ１ａ、ＣＳ１ｂ、ＣＳ２ａ、ＣＳ２ｂはＣｙａｎインクの小液滴を吐出させる小吐出口列であり、ＣＬ１、ＣＬ２はＣｙａｎインクの大液滴を吐出させる大吐出口列である。また、ＭＳ１ａ、ＭＳ２ｂ、ＭＳ２ａ、ＭＳ２ｂはＭａｇｅｎｔａインクの小液滴を吐出させる小吐出口列であり、ＭＳ１、ＭＳ２はＭａｇｅｎｔａインクの大液滴を吐出させる大吐出口列である。
【００７８】
本実施形態の構成では図３（ｂ）に示すように小ドットが均一に２４００ｄｐｉで配置され、大ドットおよび中ドットは併せて均一に２４００ｄｐｉで配置されることになる。
【００７９】
このように本実施形態の構成によれば、小ドットを均一に更に高解像度配置することが可能となる。その結果、更なる高画質印字が可能となる。
（第３の実施形態）
本実施形態のインクジェット記録ヘッドの構成を図４に示す。図４（ａ）は本実施形態のヘッドを吐出口側から見た吐出口配置の平面図であり、図４（ｂ）は、本実施形態の構成によるヘッドにより紙面上に形成されたドット配置の模式図である。なお、各吐出口および共通液室の符号の付け方は第１の実施形態と同様である。図５は記録ヘッドが主走査方向に対して角度Θだけ傾いたときの模式図であり、図６はそのときのＣｙａｎとＭａｇｅｎｔａのドット配置図である。
【００８０】
本実施形態のインクジェット記録ヘッドは、対称中心を挟んで配置されている異なる色のインクを吐出する吐出口列組どうしの同一吐出量を吐出する吐出口の副走査方向の位置が同一となるように配置されている。さらには、本実施形態のインクジェット記録ヘッドは、対称中心を挟んで配置されている異なる色のインクを吐出する吐出口列組どうしの同一吐出量を吐出する吐出口の副走査方向の位置は対称中心を挟んで鏡像の関係、換言すれば線対称の関係にある。
【００８１】
つまりＹｅｌｌｏｗの吐出口列組を挟んで配置されているＣｙａｎの吐出口列組とＭａｇｅｎｔａの吐出口列組とにおける同一の吐出量の吐出口どうしが線対称の関係にある。（Ｃｙａｎの吐出口と、この吐出口と同一の吐出量のＭａｇｅｎｔａの吐出口とが仮想の中心線を挟んで線対称に配置されている）。
【００８２】
具体的には、中吐出口列ＣＭ１から小吐出口列ＣＳ１までの吐出口列は小吐出口列ＭＳ２から中吐出口列ＭＭ２までの吐出口と線対称に配置されている。また、中吐出口列ＭＭ１から小吐出口列ＭＳ１までの吐出口列は小吐出口列ＣＳ２から中吐出口列ＣＭ２までの吐出口列と線対称になっている。
【００８３】
ここで、吐出口列組ＣＧ１と吐出口列組ＭＧ２とを例に、本実施形態の吐出口の配置についてさらに説明する。
【００８４】
Ｃｙａｎの吐出口列組ＣＧ１とＭａｇｅｎｔａの吐出口列組ＭＧ２とはＹｅｌｌｏｗの吐出口列組ＹＧを挟んで配置されている。そして、これら吐出口列組ＣＧ１と吐出口列組ＭＧ２とは仮想中心線Ｌ−Ｌに関して線対称に配置されている。小吐出口列ＣＳ１の吐出口と小吐出口列ＭＳ１の吐出口（図中矢印Ａ１で示す吐出口）とは仮想中心線Ｌ−Ｌに関して線対称に配置されている。あるいは、小吐出口列ＣＳ１の吐出口と小吐出口列ＭＳ１の吐出口とは副走査方向の位置が同一となるように配置されているともいえる位置関係にある。大吐出口列ＣＬ１ｂの吐出口と大吐出口列ＭＬ２ａの吐出口（図中矢印Ａ２で示す吐出口）、中吐出口列ＣＭ１の吐出口と中吐出口列ＭＭ２の吐出口（図中矢印Ａ３で示す吐出口）も同様の関係にある。
【００８５】
本実施形態の構成も、上述した各実施形態と同様に、図４（ｂ）に示すように小ドットが均一に２４００ｄｐｉで配置され、大ドットおよび中ドットは併せて均一に２４００ｄｐｉで配置されることになる。その結果、更なる高画質印字が可能となる。
【００８６】
一方、ヘッドが図５に示すように主走査方向に対し角度Θだけ傾くと、ドットの着弾位置は図６に示すようにドットの密な部分と疎になる部分の繰り返しパターンが形成される。この場合ドットが密になる部分は濃度が上がり、ドットが疎になる部分は濃度が下がる。その結果、濃度ムラやスジが発生し易くなる。
【００８７】
しかしながら、本実施形態の構成によれば、Ｃｙａｎドットの密な部分と疎になる部分の繰り返しパターンとＭａｇｅｎｔａドットの密な部分と疎になる部分の繰り返しパターンがちょうど１／２ピッチずれている。これにより、互いにＡＦの過不足を補い合い濃度分布を均一にする効果が生じる。
【００８８】
このように本実施形態によれば、図５に示すようなヘッド傾きΘが発生した場合でも印字画像にスジが発生し難くすることができる。
【００８９】
なお、上述の各実施形態の説明では、各吐出口列群を形成する２種類の吐出口列が、吐出口列を形成する各吐出口が千鳥状に配列されているものを示しているが、配置の形態としては千鳥状に限定されることはない。例えば、図１におけるＣｇａを構成する２つの吐出口列ＣＭ１、ＣＬ１ａとが、各列を形成する吐出口が等間隔に交互に並ぶよう、２つの吐出口列ＣＭ１、ＣＬ１ａが１列になるように並んでいてもよい。
【図面の簡単な説明】
【００９０】
【図１】（ａ）は本発明の第一の実施形態のノズル構成図であり、（ｂ）はドット配置図である。
【図２】（ａ）は本発明の第一の実施形態の別構成のノズル構成図であり、（ｂ）はドット配置図である。
【図３】（ａ）は本発明の第ニの実施形態のノズル構成図であり、図３（ｂ）はドット配置図である。
【図４】（ａ）は本発明の第三の実施形態のノズル構成図であり、（ｂ）はドット配置図である。
【図５】本発明の第三の実施形態のインクジェット記録ヘッドが傾いた模式図である。
【図６】本発明の第三の実施形態のインクジェット記録ヘッドが傾いたときのドット配置図である。
【図７】従来のインクジェット記録ヘッドの一例である。
【符号の説明】
【００９１】
Ｃ１ａ、Ｃ２ａ、Ｍ１ａ、Ｍ２ａ、Ｙａ    共通液室
ＣＬ１ａ、ＣＬ１ｂ、ＣＬ２ａ、ＣＬ２ｂ  Ｃｙａｎインクの大液滴を吐出させる大吐出口列
ＣＭ１、ＣＭ２    Ｃｙａｎインクの中液滴を吐出させる中吐出口列
ＣＳ１、ＣＳ２    Ｃｙａｎインクの小液滴を吐出させる小吐出口列
ＭＬ１ａ、ＭＬ２ｂ、ＭＬ２ａ、ＭＬ２ｂ    Ｍａｇｅｎｔａインクの大液滴を吐出させる大吐出口列
ＭＭ１、ＭＭ２    Ｍａｇｅｎｔａインクの中液滴を吐出させる中吐出口列
ＭＳ１、ＭＳ２    Ｍａｇｅｎｔａインクの小液滴を吐出させる小吐出口列
ＹＬ１、ＹＬ２    Ｙｅｌｌｏｗインクの大液滴を吐出させる大吐出口列
Ｃｇａ、Ｃｇｃ、Ｍｇａ、Ｍｇｃ    第１の吐出口列群
Ｃｇｂ、Ｃｇｄ、Ｍｇｂ、Ｍｇｄ    第２の吐出口列群
ＣＧ１、ＣＧ２、ＭＧ１、ＭＧ２    吐出口組
【図１】
2008018556.tif 000003
【図２】
2008018556.tif 000004
【図３】
2008018556.tif 000005
【図４】
2008018556.tif 000006
【図５】
2008018556.tif 000007
【図６】
2008018556.tif 000008
【図７】
2008018556.tif 000009